(57)【要約】  【課題】データを暗記する際などに好適に活用することが可能なデータ再生装置を提供する  【解決手段】単語、イディオム、文章等のテキストデータ、音声等のオーディオデータ、静止画等の画像データ、又は動画等の映像データについての対を成すデータを複数組記憶し且つ操作命令によって各データを再生するように構成した装置であって、対を成すデータを複数組にして記憶するデータ記憶手段１ａと、操作命令によって、前記データ記憶手段１ａに記憶しているデータを読み出して、対を成すデータのうち一方を再生した後、他方のデータを再生でき、さらにその後に前記一方のデータまたは前記一方のデータの次の一方のデータを再生可能なデータ再生手段１ｌとを具備するようにした。【選択図】図４
2006330520.tif 000002
【特許請求の範囲】
【請求項１】
単語、イディオム、文章等のテキストデータ、音声等のオーディオデータ、静止画等の画像データ、又は動画等の映像データについての対を成すデータを複数組記憶し且つ操作命令によって各データを再生するように構成した装置であって、
対を成すデータを複数組にして記憶するデータ記憶手段と、
操作命令によって、前記データ記憶手段に記憶しているデータを読み出して、対を成すデータのうち一方を再生した後、他方のデータを再生でき、さらにその後に前記一方のデータまたは前記一方のデータの次の一方のデータを再生可能なデータ再生手段とを具備して成ることを特徴とするデータ再生装置。
【請求項２】
前記対を成すデータのうち、一方が問題に係る問題データであり、他方がその問題の答えに係る答えデータであることを特徴とする請求項１記載のデータ再生装置。
【請求項３】
前記問題と答えとが、それぞれを入れ替えることが可能であることを特徴とする請求項２記載のデータ再生装置。
【請求項４】
前記問題及び答えが、単語、イディオム、文章、又は公式等の学習に係るものであることを特徴とする請求項２又は３記載のデータ再生装置。
【請求項５】
前記対を成すデータの再生を、組毎に禁止するための再生禁止命令を受け付ける再生禁止命令受付手段と、
前記再生禁止命令受付手段が再生禁止命令を受け付けた場合には、その再生禁止命令と対応する対を成すデータに対して、データ再生手段による再生を禁止する旨の再生禁止情報を設定する再生禁止情報設定手段とを具備し、
前記データ再生手段が、データ記憶手段に記憶している対を成すデータを再生する際に、前記再生禁止情報の設定されている対を成すデータについてはその再生をしないように構成していることを特徴とする請求項１乃至４いずれか記載のデータ再生装置。
【請求項６】
前記対を成すデータの再生を、組毎に禁止するための再生禁止命令を受け付ける再生禁止命令受付手段と、
前記再生禁止命令受付手段が再生禁止命令を受け付けた場合には、その再生禁止命令と対応する対を成すデータに対して、データ再生手段による再生を禁止する旨の再生禁止情報を設定する再生禁止情報設定手段とを具備し、
前記データ再生手段が、データ記憶手段に記憶している対を成すデータを再生する際に、前記再生禁止情報の設定されている対を成すデータのみの再生をするように構成していることを特徴とする請求項１乃至４いずれか記載のデータ再生装置。
【請求項７】
前記再生禁止情報の設定を解除するための再生禁止解除命令を受け付ける再生禁止解除命令受付手段と、
前記再生禁止解除命令受付手段が再生禁止解除命令を受け付けた場合には、その再生禁止解除命令と対応する対を成すデータに対して、再生禁止情報の設定を解除する再生禁止情報設定解除手段とを具備していることを特徴とする請求項５または６記載のデータ再生装置。
【請求項８】
電源オフ、ログアウト、又はアプリケーション終了等の終了動作をする際に、終了動作直前に再生していたデータを、リスタートの際に最初に再生すべき再生開始位置用データとして指定する旨の再生開始位置指定命令を受け付けるための再生開始位置指定命令受付手段と、
前記再生開始位置指定命令受付手段が再生開始位置指定命令を受け付けた場合には、終了動作直前に再生していたデータに対して、再生開始位置用データとして指定したことを示す再生開始位置情報を設定する再生開始位置情報設定手段とを具備し、
前記データ再生手段が、データ記憶手段に記憶している対を成すデータを再生する際に、前記再生開始位置情報の設定されているデータから再生し得るように構成していることを特徴とする請求項１乃至７いずれか記載のデータ再生装置。
【請求項９】
リスタートの際に、前記再生開始位置用データから再生するか否かの確認についての再生開始位置確認命令を受け付けるための再生開始位置確認命令受付手段を具備し、
この再生開始位置確認命令受付手段で受け付けた再生開始位置確認命令が前記再生開始位置用データから再生する旨の命令である場合には、前記データ再生手段が、その再生開始位置用データから再生する一方、その再生開始位置確認命令が前記再生開始位置用データから再生しない旨の命令である場合には、前記データ再生手段が、再生開始位置用データが未設定である場合において最初に再生すべきデータとして予めデータ記憶手段に記憶しているデータから再生するように構成していることを特徴とする請求項８記載のデータ再生装置。
【請求項１０】
再生開始位置情報を、新たな再生開始位置情報がされるまで、設定保持するように構成していることを特徴とする請求項８または９記載のデータ再生装置。
【請求項１１】
複数組の対を成すデータを、共通の性質を有する対を成すデータについてまとめてグループ管理するために、対を成すデータが、どのグループに所属しているかを識別可能なグループ識別情報を有して成り、
前記データ再生手段での再生に先立って、複数のグループ識別情報から一のグループ識別情報を選択可能に表示し、選択を受けたグループ識別情報を有する対を成すデータを前記データ再生手段に表示させるグループ再生支援手段を具備していることを特徴とする請求項１乃至１０いずれか記載のデータ再生装置。
【請求項１２】
電源オフ、ログアウト、又はアプリケーション終了等の終了動作をする際に、終了動作直前に再生していたデータを、リスタートの際に最初に再生すべき再生開始位置用データとして、前記グループ毎に設定可能に構成していることを特徴とする請求項１１記載のデータ再生装置。
【請求項１３】
前記グループ毎に、対を成すデータの再生順をランダム化する再生ランダム化命令を受け付ける再生ランダム化命令受付手段を具備し、
前記再生ランダム化命令受付手段が、再生ランダム化命令を受け付けた場合に、データ再生手段が、複数組の対を成すデータを、予めデータ記憶手段に記憶している順序に従わずランダムに再生するように構成していることを特徴とする請求項１１又は１２記載のデータ再生装置。
【請求項１４】
ＵＳＢ等の通信インタフェースを備えた携帯型端末であることを特徴とする請求項１乃至１３いずれか記載のデータ再生装置。
【請求項１５】
前記対を成すデータの編集をするためのデータ編集装置とともに利用するものであって、
前記データ編集装置で編集された対を成すデータを受け付けるためのデータ受付手段を具備し、
このデータ受付手段で受け付けた対を成すデータを、前記データ記憶手段に記憶するように構成していることを特徴とする請求項１乃至１４いずれか記載のデータ再生装置。
【請求項１６】
請求項１乃至１５いずれか記載のデータ再生装置とともに利用する装置であって、
前記データ再生装置で再生する対を成すデータの編集を受付可能なデータ編集支援手段と、
このデータ編集支援手段で編集を受け付けた対を成すデータを、前記データ再生装置に対して出力するデータ出力手段とを具備して成ることを特徴とするデータ編集装置。
【請求項１７】
前記データ編集支援手段が、複数組の対を成すデータを一覧表示するものであり、さらに、データ再生装置で再生するか否かを示す再生禁止情報を、各組毎に受け付ける再生禁止情報受付手段を具備するものであって、
前記データ出力手段が、この再生禁止情報受付手段で受け付けた再生禁止情報をさらに出力するように構成していることを特徴とする請求項１６記載のデータ編集装置。
【請求項１８】
前記データ編集支援手段が、複数組の対を成すデータを、共通の性質を有する対を成すデータについてまとめてグループ管理するために、そのグループを作成、登録、編集、削除などをするためのグループ管理命令を受付るためのグループ管理命令受付手段を具備していることを特徴とする請求項１７記載のデータ編集装置。
【請求項１９】
前記データ編集支援手段が、前記グループ毎に、対を成すデータの再生順を設定又は変更する命令を受け付ける再生順変更命令受付手段を具備し、
前記データ出力手段が、この再生順変更命令受付手段で受け付けた命令により設定又は変更した対を成すデータの再生順を示す再生順情報をさらに出力するように構成していることを特徴とする請求項１８記載のデータ編集装置。
【請求項２０】
単語、イディオム、文章等のテキストデータ、音声等のオーディオデータ、静止画等の画像データ、又は動画等の映像データについての対を成すデータを複数組にして記憶するデータ記憶手段と、操作命令によって、前記データ記憶手段に記憶しているデータを読み出して、対を成すデータのうち一方を再生した後、他方のデータを再生でき、さらにその後に前記一方のデータまたは前記一方のデータの次の一方のデータを再生可能なデータ再生手段とを具備して成るデータ再生装置とともに利用するコンピュータを動作させるためのプログラムであって、
コンピュータを、
前記データ再生装置で再生する対を成すデータの編集を受付可能なデータ編集支援手段と、
このデータ編集支援手段で編集を受け付けた対を成すデータを、前記データ再生装置に対して出力するデータ出力手段として機能させるためのデータ編集装置用プログラム。
【発明の詳細な説明】
【技術分野】
【０００１】
本発明は、テキストデータ、オーディオデータ、画像データ、映像データについての対を成すデータを複数組記憶し且つ操作命令によって各データを再生するように構成したデータ再生装置、このデータ再生装置とともに利用するデータ編集装置、及び、そのデータ編集装置を動作させるためのデータ編集装置用プログラムに関するものである。
【背景技術】
【０００２】
従来から、単語の暗記などのために、自己の能力や理解度に合わせて各個人が自由に自分専用の出題内容を構築できる、簡易な単語帳として使用可能な自己テスト学習システムが提供されている。
【０００３】
具体的に、この種の自己テスト学習システムとしては、例えば、情報入力装置により、紙面等に記載されている文字情報をイメージデータとして取り込み、これを記憶手段に順次記憶して行く。すなわち、使用者は、例えば教科書の中から未記憶の単語のみを自ら選択、抽出し、単語帳を作るようにして、各単語の読み取りを行っていく。そのため、記憶手段に記憶された単語は、使用者自らの学習能力や学習進度に合わせた最も最適な単語構成となっている。つまり、使用者自身の判断で、使用者自身の能力に合わせた単語帳を作成することが可能となっている（例えば、特許文献１参照）。
【特許文献１】特許第３３１２９９９号公報
【発明の開示】
【発明が解決しようとする課題】
【０００４】
ところが、従来の構成では、例えば、第１問→第１問の答え→第２問→第２問の答え→第３問→・・・というように、一の問題を表示させた後、該一の問題の答えを表示し得るものの、例えば、第１問→第１問の答え→第１問→第２問→・・・というように、該一の問題の答えから戻って一の問題を再度表示し得るようには構成されていない。
【０００５】
したがって、同じ問題と答えとを連続的に何度も繰り返して表示することができず、例えば、他の問題や答えを経由したり、問題の数が多ければ一巡しているうちに忘れてしまい、また覚え直す必要があるといった問題点を有している。
【０００６】
本発明は、このような課題に着目してなされたものであって、主たる目的は、対を成すデータを、それらの間で連続的に再生し得るように構成することにより、例えば、データを暗記する際などに好適に活用することが可能なデータ再生装置を提供することにある。
【課題を解決するための手段】
【０００７】
すなわち、本発明のデータ再生装置は、単語、イディオム、文章等のテキストデータ、音声等のオーディオデータ、静止画等の画像データ、又は動画等の映像データについての対を成すデータを複数組記憶し且つ操作命令によって各データを再生するように構成した装置であって、対を成すデータを複数組にして記憶するデータ記憶手段と、操作命令によって、前記データ記憶手段に記憶しているデータを読み出して、対を成すデータのうち一方を再生した後、他方のデータを再生でき、さらにその後に前記一方のデータまたは前記一方のデータの次の一方のデータを再生可能なデータ再生手段とを具備して成ることを特徴とする。
【０００８】
ここで、「再生」とは、テキストデータや画像データを画像として表示出力すること、音声データを音として出力することなど、利用者に対してデータ記憶手段に記憶しているデータを知覚し得る方法で出力することを言うものとする。また、動画は、音声を伴うか否かを問わない。
【０００９】
このようなものであれば、例えば、対を成すデータのうち一方のデータ→該対を成すデータのうち他方のデータ→該対を成すデータのうち一方のデータ・・・というように、対を成すデータのうち一方を再生した後、他方のデータを再生でき、さらにその後に前記一方のデータまたは前記一方のデータの次の一方のデータを再生することができる。
【００１０】
すなわち、対を成すデータについて、一方のデータと他方のデータとを、連続的に繰り返して再生することができ、例えば、データを暗記すること等に好適に用いることができるといった、高性能なデータ再生装置を提供することができる。
【００１１】
なお、当該データ再生装置に用いる望ましいデータの態様としては、前記対を成すデータのうち、一方が問題に係る問題データであり、他方がその問題の答えに係る答えデータであるものが挙げられる。
【００１２】
前記問題と答えとが、例えば、英単語「ａｐｐｌｅ」と日本語単語「りんご」とのように、それぞれを入れ替えることが可能であれば、あるときには問題から答えを解いたり、またあるときには答えから問題を解いたりすることができる等、問題及び答えを解くことを、必要に応じて問題側からと答え側からとの両方から行える。したがって、入れ替えると問題と答えとの関係が成立しないものに比べ、問題と答えとを効果的に学習して記憶することができるようになる。
【００１３】
前記問題及び答えが、単語、イディオム、文章、又は公式等の学習に係るものであれば、その効果は顕著になる。
【００１４】
覚えていないデータのみを再生するようにして、より効果的なデータの学習や記憶を行えるようにするには、前記対を成すデータの再生を、組毎に禁止するための再生禁止命令を受け付ける再生禁止命令受付手段と、前記再生禁止命令受付手段が再生禁止命令を受け付けた場合には、その再生禁止命令と対応する対を成すデータに対して、データ再生手段による再生を禁止する旨の再生禁止情報を設定する再生禁止情報設定手段とを具備し、前記データ再生手段が、データ記憶手段に記憶している対を成すデータを再生する際に、前記再生禁止情報の設定されている対を成すデータについてはその再生をしないように構成していることが望ましい。
【００１５】
また、再生禁止のデータのみを再学習できるようにするには、前記対を成すデータの再生を、組毎に禁止するための再生禁止命令を受け付ける再生禁止命令受付手段と、前記再生禁止命令受付手段が再生禁止命令を受け付けた場合には、その再生禁止命令と対応する対を成すデータに対して、データ再生手段による再生を禁止する旨の再生禁止情報を設定する再生禁止情報設定手段とを具備し、前記データ再生手段が、データ記憶手段に記憶している対を成すデータを再生する際に、前記再生禁止情報の設定されている対を成すデータのみの再生をするように構成していることが望ましい。
【００１６】
一度記憶したものとして再生を禁止したものについて、その記憶の確認をするようにするには、前記再生禁止情報の設定を解除するための再生禁止解除命令を受け付ける再生禁止解除命令受付手段と、前記再生禁止解除命令受付手段が再生禁止解除命令を受け付けた場合には、その再生禁止解除命令と対応する対を成すデータに対して、再生禁止情報の設定を解除する再生禁止情報設定解除手段とを具備していることが好ましい。
【００１７】
再動作時の使い勝手を向上させるには、電源オフ、ログアウト、又はアプリケーション終了等の終了動作をする際に、終了動作直前に再生していたデータを、リスタートの際に最初に再生すべき再生開始位置用データとして指定する旨の再生開始位置指定命令を受け付けるための再生開始位置指定命令受付手段と、前記再生開始位置指定命令受付手段が再生開始位置指定命令を受け付けた場合には、終了動作直前に再生していたデータに対して、再生開始位置用データとして指定したことを示す再生開始位置情報を設定する再生開始位置情報設定手段とを具備し、前記データ再生手段が、データ記憶手段に記憶している対を成すデータを再生する際に、前記再生開始位置情報の設定されているデータから再生し得るように構成していることが望ましい。
【００１８】
リスタートの際に、前記再生開始位置用データから再生するか否かの確認についての再生開始位置確認命令を受け付けるための再生開始位置確認命令受付手段を具備し、この再生開始位置確認命令受付手段で受け付けた再生開始位置確認命令が前記再生開始位置用データから再生する旨の命令である場合には、前記データ再生手段が、その再生開始位置用データから再生する一方、その再生開始位置確認命令が前記再生開始位置用データから再生しない旨の命令である場合には、前記データ再生手段が、再生開始位置用データが未設定である場合において最初に再生すべきデータとして予めデータ記憶手段に記憶しているデータから再生するように構成しているのであれば、無用に、再生開始位置用データから再生することを防止でき、使い勝手が向上する。
【００１９】
不意な再生開始位置情報の変更をなくすには、再生開始位置情報を、新たな再生開始位置情報がされるまで、設定保持するように構成しているようにすればよい。
【００２０】
複数組の対を成すデータを、共通の性質を有する対を成すデータについてまとめてグループ管理するために、対を成すデータが、どのグループに所属しているかを識別可能なグループ識別情報を有して成り、前記データ再生手段での再生に先立って、複数のグループ識別情報から一のグループ識別情報を選択可能に表示し、選択を受けたグループ識別情報を有する対を成すデータを前記データ再生手段に表示させるグループ再生支援手段を具備しているのであれば、様々な性質を有するデータであっても、好適に使用することができる。なお、ここで、「共通の性質」とは、例えば、ユーザが任意に分類する際の判断基準となり得るものをいう。
【００２１】
電源オフ、ログアウト、又はアプリケーション終了等の終了動作をする際に、終了動作直前に再生していたデータを、リスタートの際に最初に再生すべき再生開始位置用データとして、前記グループ毎に設定可能に構成しているのであれば、データが多数になった場合などにも容易に対応して、使い勝手の良さを確保することができる。
【００２２】
再生順がマンネリ化することによる弊害を除去して、効果的な記憶や学習を行えるようにするには、前記グループ毎に、対を成すデータの再生順をランダム化する再生ランダム化命令を受け付ける再生ランダム化命令受付手段を具備し、前記再生ランダム化命令受付手段が、再生ランダム化命令を受け付けた場合に、データ再生手段が、複数組の対を成すデータを、予めデータ記憶手段に記憶している順序に従わずランダムに再生するように構成していることが望ましい。
【００２３】
当該データ再生装置が、ＵＳＢ等の通信インタフェースを備えた携帯型端末であれば、持ち運びが容易に行え、好適に使用することが可能となる。
【００２４】
前記対を成すデータの編集をするためのデータ編集装置とともに利用するものであって、前記データ編集装置で編集された対を成すデータを受け付けるためのデータ受付手段を具備し、このデータ受付手段で受け付けた対を成すデータを、前記データ記憶手段に記憶するように構成しているのであれば、利用者が自由にデータを編集し、それを使用できるので、使い勝手が格段に向上する。
【００２５】
上述のデータ再生装置とともに利用することができ、且つそのデータ再生装置の利便性を向上可能なデータ編集装置の望ましい態様としては、このデータ編集装置が、前記データ再生装置で再生する対を成すデータの編集を受付可能なデータ編集支援手段と、このデータ編集支援手段で編集を受け付けた対を成すデータを、前記データ再生装置に対して出力するデータ出力手段とを具備して成るものが挙げられる。
【００２６】
前記データ編集支援手段が、複数組の対を成すデータを一覧表示するものであり、さらに、データ再生装置で再生するか否かを示す再生禁止情報を、各組毎に受け付ける再生禁止情報受付手段を具備するものであって、前記データ出力手段が、この再生禁止情報受付手段で受け付けた再生禁止情報をさらに出力するように構成しているのであれば、無用なデータの再生を当該データ編集装置で禁止でき、データ再生装置を好適に使用することができる。
【００２７】
前記データ編集支援手段が、複数組の対を成すデータを、共通の性質を有する対を成すデータについてまとめてグループ管理するために、そのグループを作成、登録、編集、削除などをするためのグループ管理命令を受付るためのグループ管理命令受付手段を具備しているのであれば、様々な性質を有するデータであっても、グループ管理命令によってデータを好適に当該データ編集装置で管理でき、データ再生装置を好適に使用することができる。
【００２８】
前記データ編集支援手段が、前記グループ毎に、対を成すデータの再生順を設定又は変更する命令を受け付ける再生順変更命令受付手段を具備し、前記データ出力手段が、この再生順変更命令受付手段で受け付けた命令により設定又は変更した対を成すデータの再生順を示す再生順情報をさらに出力するように構成しているのであれば、再生順がマンネリ化することによる弊害を除去して、効果的な記憶や学習を行えるようにすることを当該データ編集装置で管理でき、データ再生装置を好適に使用することができる。
【発明の効果】
【００２９】
以上説明したように本発明のデータ再生装置によれば、例えば、対を成すデータのうち一方のデータ→該対を成すデータのうち他方のデータ→該対を成すデータのうち一方のデータ・・・というように、対を成すデータのうち一方を再生した後、他方のデータを再生でき、さらにその後に前記一方のデータまたは前記一方のデータの次の一方のデータを再生することができる。
【００３０】
すなわち、対を成すデータについて、一方のデータと他方のデータとを、連続的に繰り返して再生することができ、例えば、データを暗記すること等に好適に用いることができるといった、高性能なデータ再生装置を提供することができる。
【発明を実施するための最良の形態】
【００３１】
以下、本発明の一実施形態を、図面を参照して説明する。
【００３２】
本発明に係る携帯電子単語帳Ｐ（本発明の「データ再生装置」に相当する。）は、図１に示すように、操作ボタン１０３や液晶ディスプレイ１０４を備えた携帯電子単語帳本体Ｐ１とこの携帯電子単語帳本体Ｐ１の側端部に設けたＵＳＢコネクタ（図示せず）を着脱可能に覆うカバーＰ２とを有し、単語、イディオム、文章等のテキストデータについての対を成すデータを複数組記憶し且つ操作命令によって各データを再生（本実施形態では、専ら表示）するように構成した携帯型端末であって、対を成すデータの編集をするためのデータ編集装置Ｑ（図示せず）とともに利用することができる。以下、各装置について具体的に説明する。
【００３３】
携帯電子単語帳Ｐは、図１、図２に示すように、ＣＰＵ１０１、内部メモリ１０２、次ボタン１０３ａ、前ボタン１０３ｂ、右ボタン１０３ｃ、左ボタン１０３ｄ、決定ボタン１０３ｅ、設定ボタン１０３ｆ及び電源ボタン１０３ｇなどの操作ボタン１０３、液晶ディスプレイ１０４、データ編集装置Ｑと通信するためのＵＳＢなどの通信インタフェース１０５等を具備している。
【００３４】
そして、この携帯電子単語帳Ｐは、その内部メモリ１０２に記憶された携帯電子単語帳用プログラムにしたがって、前記ＣＰＵ１０１や周辺機器を作動し、図４に示すように、データ記憶手段１ａ、データ受付手段１ｂ、再生禁止命令受付手段１ｃ、再生禁止情報設定手段１ｄ、再生禁止解除命令受付手段１ｅ、再生禁止情報設定解除手段１ｆ、再生開始位置指定命令受付手段１ｇ、再生開始位置情報設定手段１ｈ、再生開始位置確認命令受付手段１ｉ、グループ再生支援手段１ｊ、再生ランダム化命令受付手段１ｋ、データ再生手段１ｌ等としての機能を発揮する。以下、各手段について詳述するが、その前に、操作ボタンの操作によって表示される主な画面であるところの初期画面Ｇ１、単語帳選択画面Ｇ２、問題表示画面Ｇ３、答え表示画面Ｇ４、非表示設定選択画面Ｇ５、非表示解除設定画面Ｇ６、非表示設定解除選択画面Ｇ７、しおり設定画面Ｇ８、しおり表示確認画面Ｇ９、シャッフル画面Ｇ１０、問題答え入替画面Ｇ１１について具体的に説明をする。なお、各画面で表示可能な「単語帳」とは、共通の性質を有する対を成すテキストデータごとにまとめてグループ化したものであって、例えば、漢字の単語帳、英単語の単語帳、公式（例えば、面積や体積を求める数式等）の単語帳などが挙げられる。
【００３５】
初期画面Ｇ１は、電源をオンにした際に、例えば「ｗｅｌｃｏｍｅ！！」などの所定の起動メッセージ画面Ｇ０の表示後、最初に表示される画面であって、本実施形態では、図５に示すように、単語帳のタイトル名を３段表記するようにしている。なお、単語帳のタイトル名が４以上ある場合でも、次ボタン１０３ａ又は前ボタン１０３ｂを操作して、適宜表示することができる。
【００３６】
単語帳選択画面Ｇ２は、図５に示すように、単語帳を選択するための画面であって、本実施形態では、初期画面Ｇ１と共通にしている。そして、次ボタン１０３ａ又は前ボタン１０３ｂを操作すると、選択可能な単語帳のタイトル名が反転表示し、この状態で決定ボタン１０３ｅを押すと、その単語帳を選択することができるようにしている。
【００３７】
問題表示画面Ｇ３は、図５に示すように、「問題（ここでは、りんご）」を表示するための画面である。そして、図６に示すように、この問題表示画面Ｇ３の表示中に、決定ボタン１０３ｅを押すと、この「問題（ここでは、りんご）」の「答え（ここでは、ａｐｐｌｅ）」を表示した答え表示画面Ｇ４が表示され、また、図６に示すように、右ボタン１０３ｃを操作すると「次の問題（ここでは、バナナ）」を表示した問題表示画面Ｇ３が表示され、また、図６に示すように、左ボタン１０３ｄを操作すると「前の問題（ここでは、図示せず）」を表示した問題表示画面Ｇ３が表示されるようにしている。なお、本実施形態では、表示中の画面が、問題表示画面Ｇ３であることを一瞥して認識できるように「問題」の文字を表示するようにしている。また、「問題」の文字等のうち、画面に入りきらない文字等がある場合には、次ボタン１０３ａを操作すれば、入りきらなかった文字を表示できるようにしている（図７参照。）。
【００３８】
答え表示画面Ｇ４は、図５に示すように、「答え（ここでは、ａｐｐｌｅ）」を表示するための画面である。そして、図６に示すように、この答え表示画面Ｇ４の表示中に、決定ボタン１０３ｅ又は左ボタン１０３ｄを押すと、「直前の問題（ここでは、りんご）」の問題表示画面Ｇ３が表示され、また、図６に示すように、右ボタン１０３ｃを操作すると「次の問題（ここでは、バナナ）」を表示した問題表示画面Ｇ３が表示されるようにしている。なお、前ボタン１０３ｂを操作しても画面の移動が起こらないようにしている。また、本実施形態では、表示中の画面が、答え表示画面Ｇ４であることを一瞥して認識できるように「答え」の文字を表示するようにしている。また、問題表示画面Ｇ３と同様、「答え」の文字等のうち、画面に入りきらない文字等がある場合には、次ボタン１０３ａを操作すれば、入りきらなかった文字を表示できるようにしている。
【００３９】
非表示設定選択画面Ｇ５は、問題表示画面Ｇ３又は答え表示画面Ｇ４を表示中に、決定ボタン１０３ｅを長押しすると表示される画面であって、図８に示すように、画面中に「非表示？」の文字と、その下側に「する」と「しない」との文字が表示されるようにしている。このうち「する」「しない」は、右ボタン１０３ｃ及び左ボタン１０３ｄを操作することによって反転表示することができる。そして、「する」の文字を反転表示した状態で決定ボタン１０３ｅを押す（この動作が、後述する再生禁止命令に相当する。）と、当該非表示設定選択画面Ｇ５の直前に表示していた問題又は答えとこれに対応する答え又は問題とについて、非表示とすることができる。なお、非表示とした後、所定時間（本実施形態では非表示操作から１秒）経過すると、次の問題表示画面Ｇ３が表示されるようにしている。
【００４０】
非表示解除設定画面Ｇ６は、単語帳選択画面Ｇ２が表示された状態または問題表示画面Ｇ３または答え表示画面Ｇ４が表示された状態で、設定ボタン１０３ｆを適宜操作すると表示される画面であって、図９に示すように、画面中に「非表示解除」の文字が表示されるようにしている。そして、この「非表示解除」の文字を反転表示した状態で決定ボタン１０３ｅを押すと、単語帳選択画面Ｇ２にて、選択していた単語帳または問題、答えいずれかかが表示されていた単語帳内で、非表示の設定となっている単語が表示される。
【００４１】
非表示設定解除選択画面Ｇ７は、非表示解除設定画面Ｇ６を経て表示される画面であって、図９に示すように、画面中に「非表示解除？」の文字と、その下側に「する」と「しない」との文字が表示されるようにしている。このうち「する」「しない」は、右ボタン１０３ｃ及び左ボタン１０３ｄを操作することによって反転表示することができる。そして、「する」の文字を反転表示した状態で決定ボタン１０３ｅを押す（この動作が、後述する再生禁止解除命令に相当する。）と、当該非表示設定解除選択画面Ｇ７の直前に表示していた問題又は答えとこれに対応する答え又は問題とについて、非表示解除とすることができる。なお、非表示解除とした後、所定時間（本実施形態では非表示操作から１秒）経過すると、次の非表示されている問題表示画面Ｇ３が表示されるようにしている。
【００４２】
しおり設定画面Ｇ８は、電源オフの際に表示される画面であって、図５、図１０に示すように、画面中に「しおり？」の文字と、その下側に「する」と「しない」との文字が表示されるようにしている。このうち「する」「しない」は、右ボタン１０３ｃ及び左ボタン１０３ｄを操作することによって反転表示することができる。そして、「する」の文字を反転表示した状態で決定ボタン１０３ｅを押す（この動作が後述する再生開始位置指定命令に相当する。）と、当該しおり設定画面Ｇ８の直前に表示していた問題又は答えについて、しおり（本発明の「再生開始位置情報」に相当する。）が設定された後、自動的に電源がオフになる。
【００４３】
しおり表示確認画面Ｇ９は、電源オン後、単語帳選択画面Ｇ２において、決定ボタン１０３ｅを操作して、単語帳を選択した後に表示される画面であって、図１１に示すように、画面中に「しおり表示」の文字と、その下側に「する」と「しない」との文字が表示されるようにしている。このうち「する」「しない」は、右ボタン１０３ｃ及び左ボタン１０３ｄを操作することによって反転表示することができる。そして、「する」の文字を反転表示した状態で決定ボタン１０３ｅを押す（この動作が後述する再生開始位置確認命令に相当する。）と、しおり（再生開始位置用データ）の設定されている単語から表示される一方、「しない」の文字を反転表示した状態で決定ボタン１０３ｅを押すと、単語帳の最初の単語から表示されるようにしている。
【００４４】
シャッフル画面Ｇ１０は、単語帳を選択した後に、設定ボタン１０３ｆを操作すると表示される画面であって、図１２に示すように、画面中に「シャッフル」の文字と、その下側に「する」と「しない」との文字が表示されるようにしている。このうち「する」「しない」は、右ボタン１０３ｃ及び左ボタン１０３ｄを操作することによって反転表示することができる。そして、「する」の文字を反転表示した状態で決定ボタン１０３ｅを押す（この動作が、後述する再生ランダム化命令に相当する。）と、単語帳の単語がランダムな順番で表示されるようにしている。なお、本実施形態の携帯電子単語帳Ｐは、単語帳の選択を経て問題又は答えを表示させた状態でも、上記操作によりランダムに再生することができる。
【００４５】
問題答え入替画面Ｇ１１は、単語帳を選択した後に、設定ボタン１０３ｆを操作すると表示される画面であって、図１３に示すように、画面中に「問題答え入替」の文字と、その下側に「する」と「しない」との文字が表示されるようにしている。このうち「する」「しない」は、右ボタン１０３ｃ及び左ボタン１０３ｄを操作することによって反転表示することができる。そして、「する」の文字を反転表示した状態で決定ボタン１０３ｅを押すと、単語帳の問題と答えとが、全て入れ替わって表示されるようにしている。なお、本実施形態の携帯電子単語帳Ｐは、単語帳の選択を経て問題又は答えを表示させた状態でも、上記操作により問題と答えとを入れ替えることができる。
【００４６】
以下、本論に戻り、各手段について詳述する。
【００４７】
データ記憶手段１ａは、単語、イディオム、文章等のテキストデータについての対を成すデータを複数組にして記憶するものであって、前記内部メモリ１０２の所定領域に形成して成る。
【００４８】
なお、本実施形態では、対を成すデータのうち、一方が問題に係る問題データであり、他方がその問題の答えに係る答えデータであるともに、さらに、問題（例えば、英単語「ａｐｐｌｅ」）とその答え（例えば、日本語単語「りんご」）とが、それぞれを入れ替えても問題と答えとしての関係が成立するものを、対を成すデータとして関連付けた状態で記憶するようにしている。
【００４９】
また、図示はしていないが、各単語を、学習分野（例えば、漢字、英単語、公式など）毎に分けて表示できるように、データ編集装置Ｑで設定される後述するグループ識別情報を、各データが有するようにしている。
【００５０】
データ受付手段１ｂは、前記データ編集装置Ｑで編集された対を成すデータを受け付け、前記データ記憶手段１ａに記憶するものであって、前記通信インタフェース１０５などを利用して構成している。
【００５１】
再生禁止命令受付手段１ｃは、非表示設定選択画面Ｇ５を利用して、前記対を成すデータの再生を、組毎に禁止するための再生禁止命令を受け付けるものであって、前記操作ボタン１０３などを利用して構成している。
【００５２】
再生禁止情報設定手段１ｄは、前記再生禁止命令受付手段１ｃが再生禁止命令を受け付けた場合には、その再生禁止命令と対応する対を成すデータに対して、データ再生手段１ｌによる再生を禁止する旨の再生禁止情報を設定し、前記データ記憶手段１ａに記憶するものである。
【００５３】
再生禁止解除命令受付手段１ｅは、非表示設定解除選択画面Ｇ７を利用して、前記再生禁止情報の設定を解除するための再生禁止解除命令を受け付けるものであって、前記操作ボタン１０３などを利用して構成している。
【００５４】
再生禁止情報設定解除手段１ｆは、前記再生禁止解除命令受付手段１ｅが再生禁止解除命令を受け付けた場合には、その再生禁止解除命令と対応する対を成すデータに対して、再生禁止情報の設定を解除するものである。
【００５５】
再生開始位置指定命令受付手段１ｇは、しおり設定画面Ｇ８を利用して、電源オフの終了動作をする際に、終了動作直前に再生していたデータを、リスタートの際に最初に再生すべき再生開始位置用データとして指定する旨の再生開始位置指定命令を受け付けるためのものであって、前記操作ボタン１０３などを利用して構成している。
【００５６】
再生開始位置情報設定手段１ｈは、前記再生開始位置指定命令受付手段１ｇが再生開始位置指定命令を受け付けた場合には、終了動作直前に再生していたデータに対して、再生開始位置用データとして指定したことを示す再生開始位置情報を設定し、前記データ記憶手段１ａに記憶するものである。
【００５７】
再生開始位置確認命令受付手段１ｉは、しおり表示確認画面Ｇ９を利用して、リスタート（電源オン）の際に、前記再生開始位置用データから再生するか否かの確認についての再生開始位置確認命令を受け付けるためのものであって、前記操作ボタン１０３などを利用して構成している。
【００５８】
グループ再生支援手段１ｊは、前記データ再生手段１ｌでの再生に先立って、複数のグループ識別情報から一のグループ識別情報を選択可能に表示し、選択を受けたグループ識別情報を有する対を成すデータを前記データ再生手段１ｌに表示させるものであって、前記操作ボタン１０３及び液晶ディスプレイ１０４などを利用して構成している。本実施形態では、電源オフの終了動作をする際に、終了動作直前に再生していたデータを、リスタートの際に最初に再生すべき再生開始位置用データとして、前記グループ毎に設定し得るように構成している。
【００５９】
再生ランダム化命令受付手段１ｋは、シャッフル画面Ｇ１０を利用して、前記グループ毎に、対を成すデータの再生順をランダム化する再生ランダム化命令を受け付けるものであって、前記操作ボタン１０３などを利用して構成している。
【００６０】
データ再生手段１ｌは、操作命令によって、前記データ記憶手段１ａに記憶しているデータを適宜読み出して、対を成すデータのうち一方を再生した後、他方のデータを再生でき、さらにその後に前記一方のデータまたは前記一方のデータの次の一方のデータを再生可能なものであって、前記液晶ディスプレイ１０４などを利用して構成している。
【００６１】
具体的には、例えば、問題表示画面Ｇ３で「問題」を表示中に、決定ボタン１０３ｅを押すとこの「問題」の「答え」を表示した答え表示画面Ｇ４を表示し、また、右ボタン１０３ｃを操作すると「次の問題」を表示した問題表示画面Ｇ３を表示し、また、左ボタン１０３ｄを操作すると「前の問題」を表示した問題表示画面Ｇ３を表示するように動作する。
【００６２】
また、例えば、答え表示画面Ｇ４で「答え」を表示中に、決定ボタン１０３ｅを押すと、「当該答えの問題」の問題表示画面Ｇ３を表示し、また、右ボタン１０３ｃを操作すると「次の問題」を表示した問題表示画面Ｇ３を表示する。
【００６３】
なお、このデータ再生手段１ｌは、データ記憶手段１ａに記憶している対を成すデータを再生する際に、前記再生禁止情報の設定されている対を成すデータについてはその再生をしないように動作する。
【００６４】
また、このデータ再生手段１ｌは、データ記憶手段１ａに記憶している対を成すデータを再生する際に、前記再生開始位置情報の設定されているデータから再生し得るように動作する。
【００６５】
また、再生開始位置確認命令受付手段１ｉで受け付けた再生開始位置確認命令が前記再生開始位置用データから再生する旨の命令である場合には、このデータ再生手段１ｌは、その再生開始位置用データから再生する一方、その再生開始位置確認命令が前記再生開始位置用データから再生しない旨の命令である場合には、このデータ再生手段１ｌは、再生開始位置用データが未設定である場合において最初に再生すべきデータとして予めデータ記憶手段１ａに記憶しているデータから再生するように動作する。
【００６６】
また、前記再生ランダム化命令受付手段１ｋが、再生ランダム化命令を受け付けた場合に、このデータ再生手段１ｌは、複数組の対を成すデータを、予めデータ記憶手段１ａに記憶している順序に従わずランダムに再生するように動作する。
【００６７】
データ編集装置Ｑは、一般的な情報処理機能を有するものであって、図３に示すように、ＣＰＵ２０１、内部メモリ２０２、ＨＤＤ等の外部記憶装置２０３、マウスやキーボードなどの入力装置２０４、液晶ディスプレイなどの表示装置２０５、携帯電子単語帳Ｐと通信するための通信インタフェース２０６等を具備している。
【００６８】
そして、このデータ編集装置Ｑは、その内部メモリ２０２に記憶されたデータ編集装置用プログラムにしたがって、前記ＣＰＵ２０１や周辺機器を作動し、図４に示すように、データ編集支援手段２ａ、データ出力手段２ｂ等としての機能を発揮する。以下、各手段について詳述する。
【００６９】
データ編集支援手段２ａは、前記携帯電子単語帳Ｐで再生する対を成すデータの編集を受付るためのものであって、本実施形態では、再生禁止情報受付手段２ａ１、グループ管理命令受付手段２ａ２、再生順変更命令受付手段２ａ３を備えて成る。
【００７０】
具体的に、再生禁止情報受付手段２ａ１は、一覧表示（図１４参照）中の複数組の対を成すデータについて、携帯電子単語帳Ｐで再生するか否かを示す再生禁止情報を、各組毎に受け付けるものであって、前記入力装置２０４などを利用して構成している。
【００７１】
グループ管理命令受付手段２ａ２は、複数組の対を成すデータを、ユーザが任意に分類した対を成すデータについてまとめてグループ管理するために、そのグループを作成、登録、編集、削除などをするためのグループ管理命令を受付るものであって、前記入力装置２０４などを利用して構成している。
【００７２】
再生順変更命令受付手段２ａ３は、前記グループ毎に、対を成すデータの再生順を設定又は変更する命令を受け付けるものである。この命令としては、例えば、データ名について５０音順、更新日時順又はページ数順に並び替える命令や、再生順をいわゆるシャッフルする命令が挙げられる。また、単語帳に設定したカラーについてそのカラーの有する波長順に並び替える命令を受け付けることもできる。
【００７３】
データ出力手段２ｂは、データ編集支援手段２ａで編集を受け付けた対を成すデータを、前記携帯電子単語帳Ｐに対して出力するものであって、前記通信インタフェース２０６などを利用して構成している。
【００７４】
そして、このデータ出力手段２ｂが、再生禁止情報受付手段２ａ１で受け付けた再生禁止情報を、さらに出力するように構成している。
【００７５】
またデータ出力手段２ｂが、再生順変更命令受付手段２ａ３で受け付けた設定又は変更した対を成すデータの再生順を示す再生順情報をさらに出力するように構成している。
【００７６】
以上のように構成される携帯電子単語帳Ｐ及びデータ編集装置Ｑについて、その使用方法を画面遷移図及びフロー図などを用いて具体的に説明する。
【００７７】
（１−１）携帯電子単語帳Ｐの「問題」および「答え」の表示などに係るフロー。
【００７８】
図１５に示すように、電源をオンにすると（ステップＳ１０１）、初期画面Ｇ１を表示する（ステップＳ１０２）。この初期画面Ｇ１において、グループ再生支援手段１ｊが、グループ識別情報（本実施形態では、複数の単語帳名（漢字、英単語、公式））を選択可能に表示する。そして、単語帳の選択に係る命令を受け付ければ（ステップＳ１０３）、その選択のあった単語帳の「問題」を、問題表示画面Ｇ３を利用して表示する（ステップＳ１０５）。なお、「問題」を表示する際に、しおりが設定されているのであれば、後述する「しおりの表示確認」に係るフロー（ステップＳ１０４）を経るようにしている。
【００７９】
そして、「問題」の表示中に、決定ボタン１０３ｅが操作され、これを選択命令として受け付けると（ステップＳ１０６）、この「問題」の「答え」をデータ記憶手段１ａから読み出し、読み出した「答え」を答え表示画面Ｇ４内に表示する（ステップＳ１０７）。
【００８０】
そして、「答え」の表示中に、決定ボタン１０３ｅが操作され、これを選択命令として受け付けると、当該「答え」の「問題」をデータ記憶手段１ａから読み出し、読み出した「問題」を問題表示画面Ｇ３に戻って表示する（ステップＳ１０５）。
【００８１】
そして、「問題」の表示中に、右ボタン１０３ｃが操作され、これを選択命令として受け付けると（ステップＳ１０６）、「次の問題」をデータ記憶手段１ａから読み出し、読み出した「次の問題」を問題表示画面Ｇ３内に表示し（ステップＳ１０８）、また、左ボタン１０３ｄが操作され、これを選択命令として受け付けると「前の問題」をデータ記憶手段１ａから読み出し、読み出した「前の問題」を問題表示画面Ｇ３内に表示する（ステップＳ１０９）。
【００８２】
（１−２）携帯電子単語帳Ｐの非表示設定に係るフロー。
【００８３】
「問題」の表示中に、図１６に示すように、決定ボタン１０３ｅが長押し操作され、これを操作命令として受け付けると、非表示設定選択画面Ｇ５を表示する（ステップＳ２０１）。
【００８４】
そして、右ボタン１０３ｃ又は左ボタン１０３ｄを操作して、「する」の位置で決定ボタン１０３ｅが押され、これを再生禁止命令受付手段１ｃが再生禁止命令として受け付けると（ステップＳ２０２）、当該「問題」に対して、再生禁止情報設定手段１ｄが再生禁止情報を設定した上で、データ再生手段１ｌが当該「問題」を非表示にする（ステップＳ２０３）。このとき、当該「問題」と対を成す「答え」についても再生禁止情報の設定が同時になされる。
【００８５】
一方、「しない」の位置で決定ボタン１０３ｅが押され、これを選択命令として受け付けると（ステップＳ２０２）、データ再生手段１ｌが当該「問題」を非表示にせず（ステップＳ２０４）に前画面に戻って表示する。
【００８６】
なお、「答え」についても同様の操作によって、非表示又は非表示にしないようにすることができる。
【００８７】
（１−３）携帯電子単語帳Ｐの非表示解除設定に係るフロー。
【００８８】
図１７に示すように、単語帳選択画面Ｇ２または問題表示画面Ｇ３または答え表示画面Ｇ４において、設定ボタン１０３ｆを適宜操作することで、非表示解除設定画面Ｇ６を表示する（ステップＳ３０１）。
【００８９】
そして、さらに適宜操作によって、非表示設定解除選択画面Ｇ７を表示し、右ボタン１０３ｃ又は左ボタン１０３ｄを操作して、「する」の位置で決定ボタン１０３ｅが押され、これを再生禁止解除命令受付手段１ｅが再生禁止解除命令として受け付けると（ステップＳ３０２）、当該「問題」に対して、再生禁止情報設定解除手段１ｆが再生禁止情報の設定を解除する（ステップＳ３０３）。このとき、当該「問題」と対を成す「答え」についても再生禁止情報の設定が同時に解除される。なお、「答え」を表示した状態でも、上記同様の操作により非表示解除ができる。
【００９０】
一方、「しない」の位置で決定ボタン１０３ｅが押され、これを選択命令として受け付けると（ステップＳ３０２）、当該「問題」を非表示解除にせず（ステップＳ３０４）に前画面に戻る。
【００９１】
（１−４）携帯電子単語帳Ｐのしおり設定に係るフロー。
【００９２】
図１８に示すように、電源オフの操作があると、しおり設定画面Ｇ８を表示する（ステップＳ４０１）。そして、右ボタン１０３ｃ及び左ボタン１０３ｄを操作して、「する」の文字を反転表示した状態で決定ボタン１０３ｅが押され、これを再生開始位置指定命令受付手段１ｇが再生開始位置指定命令として受け付けると（ステップＳ４０２）、再生開始位置情報設定手段１ｈが電源オフの直前に表示していた「問題」を、再生開始位置用データ（しおりを入れたことを示すデータ）として設定した（ステップＳ４０３）後、自動的に電源オフになる。
【００９３】
一方、「しない」の文字を反転表示した状態で決定ボタン１０３ｅが押され、これを選択命令として受け付けると（ステップＳ４０２）、電源オフの直前に表示していた「問題」は、再生開始位置用データとして指定されず（ステップＳ４０４）、そのまま、自動的に電源オフになる。
【００９４】
（１−５）携帯電子単語帳Ｐのしおり表示に係るフロー。
【００９５】
図１９に示すように、電源オン後、前ボタン１０３ｂ又は次ボタン１０３ａを操作して、単語帳を選択した際に、その単語帳のデータのうち再生開始位置用データが設定されているものがある場合には、しおり表示確認画面Ｇ９を表示する（ステップＳ５０１）。
【００９６】
そして、右ボタン１０３ｃ及び左ボタン１０３ｄを操作して、「する」の文字を反転表示した状態で決定ボタン１０３ｅが押され、これを再生開始位置確認命令受付手段１ｉが再生開始位置確認命令として受け付けると（ステップＳ５０２）、データ再生手段１ｌがしおり（再生開始位置用データ）の設定されている単語（「問題」又は「答え」）をデータ記憶手段１ａから読み出し、表示する（ステップＳ５０３）。
【００９７】
一方、「しない」の文字を反転表示した状態で決定ボタン１０３ｅが押され、これを選択命令として受け付けると（ステップＳ５０２）、データ再生手段１ｌが、データ記憶手段１ａに記憶している元データの最初の単語を読み出して、この読み出した単語から表示する（ステップＳ５０４）。
【００９８】
（１−６）携帯電子単語帳Ｐの各種設定画面の表示とシャッフル再生に係るフロー。
【００９９】
表示させた設定画面において、操作ボタンを適宜操作すると、シャッフル画面Ｇ１０、明暗調整画面、問題答え入替画面Ｇ１１、非表示解除設定画面Ｇ６を表示することができる（ステップＳ６０１〜Ｓ６０６）。
【０１００】
そして、シャッフル画面Ｇ１０の表示中に、右ボタン１０３ｃ及び左ボタン１０３ｄを操作して、「する」の文字を反転表示した状態で決定ボタン１０３ｅが押され、これを再生開始位置指定命令受付手段１ｇが再生ランダム化命令として受け付けると（ステップＳ６０７）、データ再生手段１ｌが、データ記憶手段１ａから「問題」と「答え」とを組単位でランダムになるように読み出して再生（いわゆるシャッフル再生）する（ステップＳ６０８）。
【０１０１】
（２−１）データ編集装置Ｑの再生禁止情報の設定に係るフロー。
【０１０２】
図２１に示すように、再生禁止情報受付手段２ａ１が、一覧表示中の複数組の対を成すデータについて、携帯電子単語帳Ｐで再生するか否かを示す再生禁止情報を、各組毎に受け付けると（ステップＳ７０１）、図示しない再生禁止情報設定手段１ｄが、前記データ出力手段２ｂで出力するために、受け付けた対を成すデータに再生禁止情報を設定する（ステップＳ７０２）。
【０１０３】
（２−２）データ編集装置Ｑのグループ識別情報の設定に係るフロー。
【０１０４】
図２２に示すように、グループ管理命令受付手段２ａ２が、複数組の対を成すデータを、ユーザが任意に分類した対を成すデータについてまとめてグループ管理するために、そのグループを作成、登録、編集、削除などをするためのグループ管理命令を受け付けると（ステップＳ８０１）、図示しないグループ識別情報設定手段が、前記データ出力手段２ｂで出力するために、受け付けた対を成すデータにグループ識別情報を設定する（ステップＳ８０２）。
【０１０５】
（２−３）データ編集装置Ｑの再生順設定変更に係るフロー。
【０１０６】
図２３に示すように、再生順変更命令受付手段２ａ３が、対を成すデータの再生順を設定又は変更する命令を受け付けると（ステップＳ９０１）、図示しない再生順変更手段が、再生順変更命令受付手段２ａ３で受け付けた命令に基づいてデータの再生順を変更するとともに、データ出力手段２ｂで出力するために、再生順情報を生成する（ステップＳ９０２）。
【０１０７】
このように、本実施形態に係る携帯電子単語帳Ｐは、例えば、対を成す単語のうち一方のデータ→該対を成すデータのうち他方のデータ→該対を成すデータのうち一方のデータ・・・というように、対を成すデータのうち一方を再生した後、他方のデータを再生でき、さらにその後に前記一方のデータまたは前記一方のデータの次の一方のデータを再生することができる。
【０１０８】
すなわち、対を成すデータについて、一方のデータと他方のデータとを、連続的に繰り返して再生することができ、例えば、データを暗記すること等に好適に用いることができるといった、高性能な携帯電子単語帳Ｐを提供することができる。
【０１０９】
なお、対を成すデータのうち、一方を問題に係る問題データとし、他方をその問題の答えに係る答えデータとし、且つ、前記問題と答えとが、それぞれを入れ替えても問題と答えとしての関係が成立するようにし、さらに、問題及び答えが、単語、イディオム、文章、又は公式等の学習に係るものとしているため、あるときには問題から答えを解いたり、またあるときには答えから問題を解いたりすることができる等、問題及び答えを解くことを、必要に応じて問題側からと答え側からとの両方から行える。したがって、入れ替えると問題と答えとの関係が成立しないものに比べ、問題と答えとを効果的に学習して記憶することができるようになる。
【０１１０】
また、前記対を成すデータの再生を、組毎に禁止するための再生禁止命令を受け付ける再生禁止命令受付手段１ｃと、前記再生禁止命令受付手段１ｃが再生禁止命令を受け付けた場合には、その再生禁止命令と対応する対を成すデータに対して、データ再生手段１ｌによる再生を禁止する旨の再生禁止情報を設定する再生禁止情報設定手段１ｄとを具備し、前記データ再生手段１ｌが、データ記憶手段１ａに記憶している対を成すデータを再生する際に、前記再生禁止情報の設定されている対を成すデータについてはその再生をしないように構成しているため、覚えていないデータのみを再生するようにして、より効果的なデータの学習や記憶を行うことができる。
【０１１１】
そしてまた、前記データ再生手段１ｌが、データ記憶手段１ａに記憶している対を成すデータを再生する際に、前記再生禁止情報の設定されている対を成すデータのみの再生をする構成しているため、非表示のデータのみの再学習を好適に行うことができる。
【０１１２】
また、前記再生禁止情報の設定を解除するための再生禁止解除命令を受け付ける再生禁止解除命令受付手段１ｅと、前記再生禁止解除命令受付手段１ｅが再生禁止解除命令を受け付けた場合には、その再生禁止解除命令と対応する対を成すデータに対して、再生禁止情報の設定を解除する再生禁止情報設定解除手段１ｆとを具備しているため、一度記憶したものとして再生を禁止したものについて、その記憶の確認をすることができる。
【０１１３】
また、電源オフの終了動作をする際に、終了動作直前に再生していたデータを、リスタートの際に最初に再生すべき再生開始位置用データとして指定する旨の再生開始位置指定命令を受け付けるための再生開始位置指定命令受付手段１ｇと、前記再生開始位置指定命令受付手段１ｇが再生開始位置指定命令を受け付けた場合には、終了動作直前に再生していたデータに対して、再生開始位置用データとして指定したことを示す再生開始位置情報を設定する再生開始位置情報設定手段１ｈとを具備し、前記データ再生手段１ｌが、データ記憶手段１ａに記憶している対を成すデータを再生する際に、前記再生開始位置情報の設定されているデータから再生し得るように構成しているため、再動作時の使い勝手を向上することができる。
【０１１４】
また、リスタートの際に、前記再生開始位置用データから再生するか否かの確認についての再生開始位置確認命令を受け付けるための再生開始位置確認命令受付手段１ｉを具備し、この再生開始位置確認命令受付手段１ｉで受け付けた再生開始位置確認命令が前記再生開始位置用データから再生する旨の命令である場合には、前記データ再生手段１ｌが、その再生開始位置用データから再生する一方、その再生開始位置確認命令が前記再生開始位置用データから再生しない旨の命令である場合には、前記データ再生手段１ｌが、再生開始位置用データが未設定である場合において最初に再生すべきデータとして予めデータ記憶手段１ａに記憶しているデータから再生するように構成しているため、無用に、再生開始位置用データから再生することを防止でき、使い勝手が向上する。
【０１１５】
また、再生開始位置情報を、新たな再生開始位置情報がされるまで、設定保持するように構成しているため、不意な再生開始位置情報の変更がなく、好適に使用することができる。
【０１１６】
また、複数組の対を成すデータを、ユーザが任意に分類した対を成すデータについてまとめてグループ管理するために、対を成すデータが、どのグループに所属しているかを識別可能なグループ識別情報を有して成り、前記データ再生手段１ｌでの再生に先立って、複数のグループ識別情報から一のグループ識別情報を選択可能に表示し、選択を受けたグループ識別情報を有する対を成すデータを前記データ再生手段１ｌに表示させるグループ再生支援手段１ｊを具備しているため、ユーザが任意に分類したデータであっても、好適に使用することができる。
【０１１７】
また、電源オフの終了動作をする際に、終了動作直前に再生していたデータを、リスタートの際に最初に再生すべき再生開始位置用データとして、前記グループ毎に設定可能に構成しているため、データが多数になった場合などにも容易に対応して、使い勝手の良さを確保することができる。
【０１１８】
前記グループ毎に、対を成すデータの再生順をランダム化する再生ランダム化命令を受け付ける再生ランダム化命令受付手段１ｋを具備し、前記再生ランダム化命令受付手段１ｋが、再生ランダム化命令を受け付けた場合に、データ再生手段１ｌが、複数組の対を成すデータを、予めデータ記憶手段１ａに記憶している順序に従わずランダムに再生するように構成しているため、再生順がマンネリ化することによる弊害を除去して、効果的な記憶や学習を行える。
【０１１９】
また、携帯電子単語帳Ｐが、前記対を成すデータの編集をするためのデータ編集装置Ｑとともに利用するものであって、前記データ編集装置Ｑで編集された対を成すデータを受け付けるためのデータ受付手段１ｂを具備し、このデータ受付手段１ｂで受け付けた対を成すデータを、前記データ記憶手段１ａに記憶するように構成しているため、利用者が自由にデータを編集し、それを使用できるので、使い勝手が格段に向上する。
【０１２０】
ところで、このような携帯電子単語帳Ｐとともに利用するデータ編集装置Ｑが、前記携帯電子単語帳Ｐで再生する対を成すデータの編集を受付可能なデータ編集支援手段２ａと、このデータ編集支援手段２ａで編集を受け付けた対を成すデータを、前記携帯電子単語帳Ｐに対して出力するデータ出力手段２ｂとを具備して成るようにしているため、携帯電子単語帳Ｐの利便性をデータ編集装置Ｑで向上させることができる。
【０１２１】
また、前記データ編集支援手段２ａが、複数組の対を成すデータを一覧表示するものであり、さらに、携帯電子単語帳Ｐで再生するか否かを示す再生禁止情報を、各組毎に受け付ける再生禁止情報受付手段２ａ１を具備するものであって、前記データ出力手段２ｂが、この再生禁止情報受付手段２ａ１で受け付けた再生禁止情報をさらに出力するように構成しているため、無用なデータの再生を当該データ編集装置Ｑで禁止でき、携帯電子単語帳Ｐを好適に使用することができる。
【０１２２】
また、前記データ編集支援手段２ａが、複数組の対を成すデータを、共通の性質を有する対を成すデータについてまとめてグループ管理するために、そのグループを作成、登録、編集、削除などをするためのグループ管理命令を受付るためのグループ管理命令受付手段２ａ２を具備しているため、様々な性質を有するデータであっても、グループ管理命令によってデータを好適に当該データ編集装置Ｑで管理でき、携帯電子単語帳Ｐを好適に使用することができる。
【０１２３】
また、前記データ編集支援手段２ａが、前記グループ毎に、対を成すデータの再生順を設定又は変更する命令を受け付ける再生順変更命令受付手段２ａ３を具備し、前記データ出力手段２ｂが、この再生順変更命令受付手段２ａ３で受け付けた命令により設定又は変更した対を成すデータの再生順を示す再生順情報をさらに出力するように構成しているため、再生順がマンネリ化することによる弊害を除去して、効果的な記憶や学習を行えるようにすることを当該データ編集装置Ｑで管理でき、携帯電子単語帳Ｐを好適に使用することができる。
【０１２４】
なお、本発明は、以上に詳述した実施形態に限られるものではない。
【０１２５】
例えば、当該データ再生装置を、ＵＳＢ等の通信インタフェースを備えた携帯型端末である携帯電子単語帳Ｐとしているが、持ち運びが容易に行え、好適に使用することが可能であればよく、例えば通信インターフェースに無線を採用することを妨げない。また、据え置き型とすることもできる。
【０１２６】
また、本実施形態では、携帯電子単語帳Ｐが、テキストデータを再生するようにしているが、音声等のオーディオデータ、静止画等の画像データ、又は動画等の映像データについての対を成すデータを複数組記憶しておき、操作命令によって各データを適宜再生するように構成することを妨げない。
【０１２７】
また、電源オフの終了動作をする際に、終了動作直前に再生していたデータを、リスタートの際に最初に再生すべき再生開始位置用データとして設定するようにしているが、例えば、ログアウト、又はアプリケーション終了に設定するようにしてもよい。
【０１２８】
また、各画面を表示するための操作手順は、本実施形態に限られるものではない。
【０１２９】
また、データ記憶手段を、例えば、メモリカードのように、携帯電子単語帳本体Ｐ１に対して着脱可能に構成し、データ記憶手段をデータ編集装置Ｑに直接接続して、このデータ編集装置Ｑからデータを受け付けるようにするといった実施態様も考えられる。
【０１３０】
また、例えば、初期画面では、単語帳のタイトル名（「英単語」、「歴史」、「漢字」）を３段表記し得るように構成しているが、図２４に示すように、画面の小型化などに対応させて１段表記とし、適宜操作によってタイトルなどを別々に表示する構成としてもよい。
【０１３１】
その他、各部の具体的構成についても上記実施形態に限られるものではなく、本発明の趣旨を逸脱しない範囲で種々変形が可能である。
【図面の簡単な説明】
【０１３２】
【図１】本発明の一実施形態におけるデータ再生装置を示す正面図及び底面図。
【図２】同実施形態におけるデータ再生装置の機器構成図。
【図３】同実施形態におけるデータ編集装置の機器構成図。
【図４】同実施形態におけるデータ再生装置及びデータ編集装置の機能構成図。
【図５】同実施形態におけるデータ再生装置の画面遷移を説明するための図。
【図６】同実施形態におけるデータ再生装置の画面遷移を説明するための図。
【図７】同実施形態におけるデータ再生装置の画面態様を説明するための図。
【図８】同実施形態におけるデータ再生装置の画面遷移を説明するための図。
【図９】同実施形態におけるデータ再生装置の画面遷移を説明するための図。
【図１０】同実施形態におけるデータ再生装置の画面遷移を説明するための図。
【図１１】同実施形態におけるデータ再生装置の画面遷移を説明するための図。
【図１２】同実施形態におけるデータ再生装置の画面遷移を説明するための図。
【図１３】同実施形態におけるデータ再生装置の画面遷移を説明するための図。
【図１４】同実施形態におけるデータ編集装置の画面態様の一例を示す図。
【図１５】同実施形態におけるデータ再生装置の動作を示すフロー図。
【図１６】同実施形態におけるデータ再生装置の動作を示すフロー図。
【図１７】同実施形態におけるデータ再生装置の動作を示すフロー図。
【図１８】同実施形態におけるデータ再生装置の動作を示すフロー図。
【図１９】同実施形態におけるデータ再生装置の動作を示すフロー図。
【図２０】同実施形態におけるデータ再生装置の動作を示すフロー図。
【図２１】同実施形態におけるデータ編集装置の動作を示すフロー図。
【図２２】同実施形態におけるデータ編集装置の動作を示すフロー図。
【図２３】同実施形態におけるデータ編集装置の動作を示すフロー図。
【図２４】本発明の他の実施形態におけるデータ再生装置の画面遷移を説明するための図。
【符号の説明】
【０１３３】
Ｐ・・・・・データ再生装置（携帯電子単語帳）
１ａ・・・・データ記憶手段
１ｂ・・・・データ受付手段
１ｃ・・・・再生禁止命令受付手段
１ｄ・・・・再生禁止情報設定手段
１ｅ・・・・再生禁止解除命令受付手段
１ｆ・・・・再生禁止情報設定解除手段
１ｇ・・・・再生開始位置指定命令受付手段
１ｈ・・・・再生開始位置情報設定手段
１ｉ・・・・再生開始位置確認命令受付手段
１ｊ・・・・グループ再生支援手段
１ｋ・・・・再生ランダム化命令受付手段
１ｌ・・・・データ再生手段
２ａ・・・・データ編集支援手段
２ａ１・・・再生禁止情報受付手段
２ａ２・・・グループ管理命令受付手段
２ａ３・・・再生順変更命令受付手段
２ｂ・・・・データ出力手段
【図１】
2006330520.tif 000003
【図２】
2006330520.tif 000004
【図３】
2006330520.tif 000005
【図４】
2006330520.tif 000006
【図５】
2006330520.tif 000007
【図６】
2006330520.tif 000008
【図７】
2006330520.tif 000009
【図８】
2006330520.tif 000010
【図９】
2006330520.tif 000011
【図１０】
2006330520.tif 000012
【図１１】
2006330520.tif 000013
【図１２】
2006330520.tif 000014
【図１３】
2006330520.tif 000015
【図１４】
2006330520.tif 000016
【図１５】
2006330520.tif 000017
【図１６】
2006330520.tif 000018
【図１７】
2006330520.tif 000019
【図１８】
2006330520.tif 000020
【図１９】
2006330520.tif 000021
【図２０】
2006330520.tif 000022
【図２１】
2006330520.tif 000023
【図２２】
2006330520.tif 000024
【図２３】
2006330520.tif 000025
【図２４】
2006330520.tif 000026